(57)【特許請求の範囲】
【請求項１】
下側手袋層と外側手袋層により形成される２層構造からなる穴あき明示手袋であって、
下側手袋層が外側手袋層の内面に面する外面を有し、前記内面及び外面の少なくとも一方
は７０度より小さい初期接触角を有する穴あき明示手袋。
【請求項２】
前記内側手袋の外面及び前記外側手袋の内面の両方が７０度より小さい初期接触角を有
する請求項１に記載の手袋。
【請求項３】
前記下側手袋層と外側手袋層の間に中間層が配置され、前記中間層は、中間層の不透明
性が液体の存在下で減少するように、屈折率がその液体含量に応じて変化する物質からな
る請求項１または２に記載の手袋。
【請求項４】
中間層の面の少なくとも一方は、７０度より小さい初期接触角を有する請求項３に記載の手袋。
【請求項５】
前記下側手袋層は、３０より大きい彩度範囲Ｃ＊を有する物質からなる請求項１〜４のいずれかに記載の手袋。
【請求項６】
前記彩度範囲は、４０より大きく、より好ましくは４３より大きく、とりわけ４６より大きく、特に５０より大きい請求項５に記載の手袋。
【請求項７】
前記外側手袋層は１０−４０％の不透明性を有する物質からなる請求項１〜６のいずれかに記載の手袋。
【請求項８】
前記不透明性は、１５−４０％であり、有利な範囲は２３−４０％であり、より好まし
くは２０−３５％である請求項７に記載の手袋。
【請求項９】
初期接触角が７０度より小さい面は、８−１６個の炭素鎖を有し、４．５−６．５のｐＨを有する親水性官能価を含む炭化水素溶液からなる処理剤により処理されている請求項
１〜８のいずれかに記載の手袋。
【請求項１０】
前記手袋は照射されている請求項９に記載の手袋。
【請求項１１】
前記炭化水素溶液は非イオン性である請求項９または１０に記載の手袋。
【請求項１２】
前記炭化水素溶液は、ラウリン酸ソルビタン、アルキル（８−１６）ポリグルコシド、
カプリル／カプラミドプロピルベタイン、ラウリルスルホアセテートナトリウム、コカミ
ドプロピルベタイン、ラウリン酸グリセリル、ステアリン酸サッカロース、及びジステア
リン酸サッカロースの少なくとも１種またはその混合物を含む請求項９または１０に記載の手袋。
【請求項１３】
合成物質、特にポリクロロプレン又はポリイソプレンからなる請求項１〜１２のいずれかに記載の手袋。
【請求項１４】
前記面の初期接触角は、５０度より小さい請求項１〜１３のいずれかに記載の手袋。
【請求項１５】
前記表面は、１０秒以内、好ましくは５秒以内で４０度より小さい接触角を有する請求
項１〜１３のいずれかに記載の手袋。
【請求項１６】
前記表面は、１０秒以内、好ましくは５秒以内で３０度より小さい接触角を有する請求
項１〜１３のいずれかに記載の手袋。
【請求項１７】
前記表面は、１０秒以内、好ましくは５秒以内で２０度より小さい接触角を有する請求
項１〜１３のいずれかに記載の手袋。
【請求項１８】
前記表面は、１０秒以内で１０度より小さい接触角を有する請求項１〜１３のいずれかに記載の手袋。
【請求項１９】
少なくとも一方の面を、８−１６個の炭素鎖を有し、４．５−６．５のｐＨを有する親
水性官能価を含む炭化水素溶液からなる処理剤により処理する工程を具備する請求項１〜１８のいずれかに記載の手袋の少なくとも一方の面の接触角を制御する方法。
【請求項２０】
前記炭化水素溶液は非イオン性である請求項１９に記載の方法。
【請求項２１】
処理後、処理された面を照射する工程を更に具備する請求項１９または２０に記載の方
法。
【請求項２２】
前記照射は、手袋が梱包去れた後に行われる請求項２１に記載の方法。
【請求項２３】
前記処理剤は、前記手袋の前記面に濃縮された形で施される請求項１９〜２２のいずれ
かに記載の方法。
【請求項２４】
前記処理剤は、１０％より小さい濃度で前記手袋の前記面に、溶液として施され、次いで乾燥される請求項１９〜２２のいずれかに記載の方法。
【請求項２５】
前記溶液は、洗浄機構により施される請求項２４に記載の方法。
【請求項２６】
前記処理剤は、前記手袋の前記面に施される前に泡を生成するように撹拌される請求項
１９〜２２のいずれかに記載の方法。
【請求項２７】
前記処理剤は、前記手袋を収容する容器内に噴霧され、完全に混合され、その後、手袋が乾燥される請求項１９〜２２のいずれかに記載の方法。
【請求項２８】
前記炭化水素溶液は非イオン性である請求項１８〜２１のいずれかに記載の方法。
【請求項２９】
前記炭化水素溶液は、ラウリン酸ソルビタン、アルキル（８−１６）ポリグルコシド、
カプリル／カプラミドプロピルベタイン、ラウリルスルホアセテートナトリウム、コカミ
ドプロピルベタイン、ラウリン酸グリセリル、ステアリン酸サッカロース、及びジステア
リン酸サッカロースの少なくとも１種またはその混合物を含む請求項１９〜２７のいずれかに記載の方法。
【請求項３０】
前記面の初期接触角は、５０度より小さい請求項１９〜２９のいずれかに記載の方法。
【請求項３１】
前記表面は、１０秒以内、好ましくは５秒以内で４０度より小さい接触角を有する請求
項１９〜２９のいずれかに記載の方法。
【請求項３２】
前記表面は、１０秒以内、好ましくは５秒以内で３０度より小さい接触角を有する請求
項１９〜２９のいずれかに記載の方法。
【請求項３３】
前記表面は、１０秒以内、好ましくは５秒以内で２０度より小さい接触角を有する請求
項１９〜２９のいずれかに記載の方法。
【請求項３４】
前記表面は、１０秒以内で１０度より小さい接触角を有する請求項１９〜２９のいずれかに記載の方法。
【発明の詳細な説明】
【技術分野】
【０００１】
本発明は、手袋に係り、特に、手袋に穴があいているかどうかを着用者が容易に識別できる穴の明示特性を有する外科用手袋に関する。
【背景技術】
【０００２】
外科用手袋は、感染の可能性があり、そのため健康上の危険をもたらす血液のような体液に着用者の手がさらされるのを防御するとともに、患者の内部器官が外科医の手からの汗等にさらされるのを防御する重要な機能を果たしている。従って、手袋により形成された液体に対するバリアが無傷であることは、非常に重要である。実際に、外科用手袋は、例えば、外科用メス及び他の鋭利な外科用器具により穴があく危険がある環境の中で使用され、そのため、着用者又は患者への起こり得る汚染を最小にするように、使用前又は使用中に、着用者が、手袋に穴があいているかどうかを容易に識別し得ることが望まれている。
【０００３】
米国特許第５２２４２２１号には、内層と外層を備える２層構造の穴あき又は破損が明白にわかる外科用手袋が記載されている。この２層構造では、外層が半透明、特に黄色であり、内層がコントラストの強い色、特に緑色又は黒色のような暗色である。内層及び外層のいずれかに穴があくと、２層の間に液体が浸透する。この液体は、２つの効果を生ずる。即ち、内層の色が外層を通してより明らかになり、及び／又は液体の色が外層を通してより明らかになる。使用者は、これを、液体が２層の間に存在するコントラストの強い色の領域と見る。しかし、米国特許第５２２４２２１号に記載の明示システムにより生じた視認性の変化は、実際に、環境に依存すること、また、ある場合には、着用者により容易には気づかれないことがわかった。
【０００４】
英国特許出願ＧＢ０８０１６０２．４及びＧＢ０７８２４０．５、及び米国特許出願１２／１７０４５３に記載されているように、バリア特性の喪失の感知を最大にするために、２層間に流体が存在する２層の領域と、流体が存在しない２層の領域との間に、大きな色又は濃淡の相違があるのが好ましい。色又はコントラストの大きな相違は、バリア特性の喪失を使用者に明らかに明示させることになる。使用者は、２層構造が傷つけられたことを示すのに色の変化に頼っているので、色の変化が明らかであることは必須である。
【発明の概要】
【０００５】
本発明は、２層間に流体が入り込むに従って、強力な色の大きな領域を生ずる、米国特許第５２２４２２１号の型の２層構造システムを提供することを目的とする。
【０００６】
特に、本発明は、外側手袋の不透明性、下側手袋の色彩の密度及び強度、及び内側及び外側手袋の表面特性を特徴づけることにより、二重手袋システムにおいて識別できるようになる色彩領域の目につき易さを最大にすることを目的とする。
【０００７】
本発明の分野において明示システムにさらされる流体は、一般に水性であるが、それらには一貫した色彩はない。流体の色彩は、無色から、水のような透明、血液のような強力な色彩までに及ぶ。流体は、バリア特性の喪失の明示源を提供するので、血液のような、明示流体と対照をなす手袋の下で色彩を有することが好ましい。また、下側手袋の色彩は、明示流体が無色又は透明であるとき、上側手袋の透明を通して示すに充分に強いものであることが好ましい。
【０００８】
更に、実際に、バリア特性の喪失の早期の明示を提供するのに重要なことは、色彩の強さだけではない。明示された領域の色彩の強さは、穴あきが使用者に明白であることを確実にするために重要である。しかし、明示領域が比較的早く明らかになることもまた重要である。穴あきの明示を提供し得る手袋システムの原理は、使用者が、バリア特性の起こりうる喪失に注意を怠らず、一旦、起こりうる問題に気づけば、新しいバリアがそこに置かれることを確かめるために行動することである。外科の場面では、このことは、１対又はそれ以上の対の手袋を交換することにより達成される。そのため、バリア特性の喪失が初期に明示されることが比較的急速であることが肝要である。このことは、使用者に比較的急速に彼らの手袋を交換させ、起こり得る、汚染された流体にさらされることを最小にする。使用者が穴あきを認識するのに時間がかかればかかるほど、交差汚染の危険、即ち、患者と使用者との間の汚染物質の起こり得る移動は大きくなる。そのため、バリア特性が喪失した着色領域が比較的早期に見えるようになることが非常に好ましい。
【０００９】
本発明は、部分的には、両手袋の表面特性と上側手袋の透明性が、最適な明示を生ずるのに重要であるという理解に基づいている。使用者は、２層構造のバリア特性が劣化されたことを明示するように明示流体が進入する際の手袋の外側から見える色の変化に頼っている。色の変化は、下側手袋からの色の量の増加又は外側手袋を通して示す明示流体の量の増加により生ずる。内側手袋の色の強度は変化しないが、両手袋間の空間に入る流体は、外側手袋を通してより見えるようになる内側手袋に至る。
【００１０】
しかし、バリア特性の喪失が比較的急速に検知されることを確実にするためには、手袋は、流体を含む領域が流体を含まない領域よりも目立つことを保証するような光学特性を有する必要がある。そうであっても、流体が破損点の周囲の比較的小さい領域にとどまるならば、明示領域は比較的小さくなるであろう。たとえ色のコントラストが強くても、見ることは、領域のサイズによりやはり困難であろう。そのため、明示された領域が早く見えることを確実にするためには、明示領域が比較的大きいことが、それ以上ではないにしても等しく重要である。
【００１１】
流体が手袋の表面間を急速に広がるならば、着用者による早期の検知に有利である、大きな濡れた領域が生ずる。このことは、下側手袋と上側手袋の表面特性が進入する液体に対する親和性があるならば、効果的に達成される。
【００１２】
外科的な環境で手袋と接触する流体が水性である場合、明示領域の伝播の速度は、外側手袋の内面の接触角と外側手袋の接触角により支配され、それは、水性液体が２つの手袋間を移動する速度を制御する。
【発明の実施の形態】
【００１３】
本発明の第１の態様によると、内面及び外面を有し、前記内面及び外面の一方は７０度より小さい初期接触角を有する外科用手袋が提供される。
【００１４】
本発明による手袋は、許容し得る期間で手袋の完全性が損なわれることを使用者に効果的に認識させるに十分に速く、水性物質が表面に広がるという利点を有している。そのため、手袋は、表面が本発明の基準内の接触角を有している、２層構造手袋の内側手袋部分又は外側手袋部分のいずれとして使用するにも、特に効果的である。他の手袋の隣接面に対向するそれぞれの手袋の表面の接触角は、内側手袋又は外側手袋のいずれの破損によっても、それらの間に漏れる水性物質の急速な広がりを保証する。
【００１５】
本発明の第２の態様によると、下側手袋層と外側手袋層により形成される２層構造からなる穴あき明示手袋であって、下側手袋層が外側手袋層の内面に面する外面を有し、前記内面及び外面の少なくとも一方は本発明による接触角を有する穴あき明示手袋が提供される。
【００１６】
好ましくは、内側手袋の外面及び外側手袋の内面の双方が本発明による接触角を有するのがよい。
【００１７】
接触角パラメーターは、液滴が表面を広がる速度に関係している。液滴が最初に表面に接触するとき、もちろん、それは点接触であろうし、そのため１８０度の接触角を有する（少なくともその瞬間には、球形液滴は完全な球として表面に着地するであろう）。
【００１８】
液滴が広がるに従って、液滴と表面との間の接触面積は、円の弦状の面として増加する。そのとき、接触角は、液相、気相、及び固層が交わる３層の境界において、液層により形成された角度として幾何学的に定義される。通常、本発明の場合のように、接触角は気相よりむしろ液相において測定される。そのため、１８０°の接触角は、液体が表面を濡らさない濡れ性をいい、０°の接触角は、全体として平らな状態にあるので表面上の液滴を定義するのが困難である程度に、液体が非常によく表面を濡らす状態をいう。初期の接触は液滴の底部における点接触であるので、液滴が落下する物質の特性にかかわらず、初期の接触角は常に１８０°である。液滴が表面において完全な半球を形成するとき、接触角は９０°に減少するであろう。表面が液体表面に対し強い親和性を有するならば、結果として液滴は完全に吸収され、接触角は０°となる。特に、表面が液体に親和性を有する場合、接触角はしばしば、時間に対し動的である。接触角が減少する速度は、本発明にとって重要である。
【００１９】
以上で言及し、以後も言及する初期接触角は、０．５秒以内における表面上の液滴の接触角と理解すべきであり、そのパラメータは、液体が接触する物質に応じて明確に変化する。
【００２０】
好ましくは、前記手袋の内面及び外面の一方は、５０度より小さい初期接触角を有する。特に、前記表面は、１０秒以内、好ましくは５秒以内で４０度より小さい接触角を有する。また、とりわけ、１０秒以内、好ましくは５秒以内で３０度より小さい接触角を有する。更には、１０秒以内、好ましくは５秒以内で２０度より小さい接触角を有し、１０秒以内で１０度より小さい接触角が特に有利である。
【００２１】
本発明では、接触角は、以下の方法を用いて、手袋の表面に純水の液滴を加えることにより決定される。
【００２２】
動的な液滴の挙動が、データフィジックス（Ｄａｔａ  Ｐｈｙｓｉｃｓ）ＯＣＡ ２０又はクルスイージードロップ（Ｋｒｕｓｓ  Ｅａｓｙ  ｄｒｏｐ）ＤＳＡ２０のような接触角測定装置により撮影機能を用いて測定された。９マイクロリットルの液滴をシリンジから放出し、最小の高さから表面に落下させた。液滴が落下する直前に記録を開始した。どれだけ速く液滴が静的状態になるかに応じて時間を変化させ、１秒間に２５画像まで記録した。上記装置によるそれぞれのフレームごとに、接触角（液滴の両側）を遡及的に測定した。
【００２３】
手袋の表面特性は、当業者に周知の多くの方法を用いて、接触角を変化させるように制御され得る。塩素化は、濡れ特性が最適であることを保証するための好ましい方法である。しかし、親水性コーティング又は界面活性剤の付与を含む、手袋の濡れ特性を最適化するために、多くの他の方法を用いることも可能である。
【００２４】
特に好ましい実施形態では、接触角は、８−１６個の炭素鎖を有し、４．５−６．５のｐＨを有する親水性官能価を含む炭化水素溶液からなる処理剤により手袋を被覆することにより制御される。処理後、手袋は梱包され、照射される。
【００２５】
処理剤は、多くの様々な方法で塗布されてもよい。１つの実施形態では、処理剤は濃縮された形で手袋に塗布され、次いで乾燥される。他の実施形態では、処理剤は、公知の洗浄機構により、１０％より低い濃度の溶液として手袋に塗布され、その後、手袋は、梱包及び照射前に、再び乾燥される。
【００２６】
更に他の実施形態では、処理剤は、手袋に塗布される前に、泡を生成するために攪拌される。次いで、手袋は梱包され、照射される。更にまた他の実施形態では、乾燥、梱包及び照射前に、手袋を収容する容器内に処理剤が噴霧され、完全に混合される。
【００２７】
本発明に使用される炭化水素は、低刺激性を達成するために、非イオン性である。適切な処理剤の例は、ラウリン酸ソルビタン、アルキル（８−１６）ポリグルコシド、カプリル／カプラミドプロピルベタイン、ラウリルスルホアセテートナトリウム、コカミドプロピルベタイン、ラウリン酸グリセリル、ステアリン酸サッカロース、ジステアリン酸サッカロースである。これらの混合物もまた、作用することが見出されている。
【００２８】
好ましくは、本発明の手袋は、透明な液体及び血液のような強く着色された液体をもって最適に明示する手袋を生ずるように制御された彩度（濃度）レンジＣ＊（基本的に色の強度である）を有する。このことは、水性物質が２層間に入り込むときに、内側手袋の視認性を増加させるように、その不透明性が変化する外側手袋との組合せで使用されるときに、その手袋を、２層又は多層構造手袋システムにおける内側又は下側手袋として特に有用にする。その場合、内層の対照的な色は、破損が生じたときに着用者がそれをより見えるようにする。
【００２９】
手袋の彩度は、好ましくは３０より大きく、有利には４０より大きく、より好ましくは４３より大きく、とりわけ４６より大きく、特に５０より大きいのがよい。この彩度は、好ましくは顔料を含有させることにより制御され、Ｃ＊の比較的高い値の顔料を選択するとともに、その顔料の含有量を増加させることにより増加させることができる。このことは、水のような透明液体により濡れるときに又は血液が明示媒体である場合のように明示流体が高度に着色されているときに、最大の色彩差が観察されることを保証する。手袋の彩度が比較的小さい（弱く着色されている）場合には、明示システムは、低い彩度の流体（例えば、水）とともに良好には作用しない。
【００３０】
上述したように、手袋の問題の表面の接触角は水性物質の急速な広がりを確実にするために重要であるが、例えばわずかな色の変化によりその物質の存在が容易に見つけることが出来ないならば、バリアの完全性が損なわれることを着用者が気づくのはやはり困難であろう。他の方法を実行するためには、乏しい色のコントラストのため、明示領域が目につきにくいならば、それは常に見ることが困難なので、大きなサイズの明示は、問題はないであろう。そのため、明示領域の色が、流体のない二重層の色とコントラストをなすことはやはり重要である。大きく、高度にコントラストのある領域は、より早い明示を生ずる。
【００３１】
流体を含む２層構造と流体を含まない２層構造との間の色のコントラスト又は色差のレベルは、部分的には外側手袋の透明性又は不透明性により決定される。外側手袋の不透明性は、ＩＳＯ ２８１４に記載されている方法と類似の方法により決定され得る。外側手袋が完全に透明である（０％の不透明性）ならば、下側手袋の色は、外側手袋を通して常に見えるであろう。この場合がそうであれば、無色の液体の進入は、外側から見たときに二重層の色にほとんど影響を与えず、基本的に液体の端部のみが見えることになる。これでは明示による色変化はほとんどなく、使用者には穴あきがほとんど感知できない。上側手袋が低い透明性を有する（１００％の不透明性）ならば、上側手袋は下側手袋を隠してしまうであろう。２層間の空間に液体が入り込むと、上側手袋は下側手袋の色及び流体と結合した色を隠し続けるであろう。そのため、明示による色変化はほとんど無いであろう。これらの両方のシステムは、使用者がバリアの穴あきを検知する低い可能性を生じるであろう。
【００３２】
本発明の第３の態様によると、内側手袋層と外側手袋層により形成された２層構造を含む穴あき明示手袋が提供され、この場合、外側手袋層は１０−４０％の不透明性を有する。
【００３３】
本発明のこの態様による穴あき明示手袋は、層間の液体の浸透を効果的に明示し、手袋より形成されたバリアの完全性が損なわれたかどうかを着用者が認識するのを特に容易にするという利点を有する。
【００３４】
以上及び以後に言及する不透明性の範囲は、完全に透明である０％から完全に不透明である１００％までの範囲に基づく。好ましくは、不透明性は、１５〜４０％であり、有利な範囲は２３〜４０％であり、より好ましくは２０〜３５％である。この範囲は、透明な液体が層間に入り込んだときに、最も大きい色のコントラストを生ずるという利点がある。
【００３５】
上側手袋の不透明性は、好ましくは、これらに限定はされないが、二酸化チタン、シリカ、重晶石粉、硫酸バリウム、炭酸バリウム、炭酸カルシウム、石膏、クレイ、タルク、アルミナホワイト、塩基性炭酸マグネシウム、酸化亜鉛等を、上側手袋に含ませることにより制御されるのがよい。所望の不透明性を達成するのに必要な物質のレベルは、ポリマーの配合物組成に含まれる粒状物質の量とともに、粒状物質の性質及び量に依存するであろう。このため、手袋を構成するポリマー成分の配合物に用いられる粒状物質の量及びサイズは、最小であるのが好ましい。
【００３６】
好ましくは、上で定義した本発明の第２及び第３の態様は、内側及び外側手袋の面の少なくとも一方が、上述した要件に従った接触角を有するように、組み合わされるのがよい。
【００３７】
内側又は下側手袋は、最適には、透明液体及び血液のような強く着色した液体によって明示する手袋を生ずるように制御された彩度範囲Ｃ＊（基本的には色の強度）を有するのが好ましい。内側手袋の彩度は、好ましくは３０より大きく、有利なことには４０より大きく、より好ましくは４３より大きく、より特別には４６より大きく、特に５０より大きいのがよい。彩度は、好ましくは、顔料を含ませることにより制御され、比較的高いＣ＊の値の顔料を選択するとともに、前記顔料のレベルを増加させることにより増加させることが出来る。このことは、最大の色差が、水のような透明な流体により濡れたときに、又は血液が明示流体である場合のように明示流体が高度に着色されているときに、観察されることを確実なものとしている。もし下側手袋の彩度が比較的小さい（弱く着色）ならば、この明示システムは低い彩度の流体（例えば水）によってはうまく作用しないであろう。
【００３８】
黒色又はダークグレイの下側手袋は比較的低いＣ＊を有するが、液体が入り込むと良好なコントラストを提供するように見えるので、色の濃度の深さは、単にＣ＊だけによっては制御されない。そのため、もしＣ＊が低いならばＬ＊［．１］は比較的低くあるべきであり、特に、Ｌ＊は４５より小さく、好ましくは３５より小さく、より好ましくは３２より小さく、Ｌ＊は色の明るさの尺度であり、黒の０から白の１００まで変化する。
【００３９】
更に、Ｃ＊とＬ＊の両方を包み込むためには、Ｃ＊と１／Ｌ＊の積が０．６より大きく、より好ましくは０．８より大きく、特に１より大きいのがよい。
【００４０】
好ましくは、内側手袋は、１６０−３００°、有利なことには１８０−２８０°、より好ましくは２２０−２７０°、特に２５０−２７０°の範囲の色相角を有する色であるのがよい。このことは、内側手袋が血液とコントラストをなす手袋を生じ、そのため、明示媒体が血液である場合には、穴あきに対し明示を与える入り込む流体を通して内層が見えるという利点がある。色変化を最も大きく感知させるためには、下側手袋が赤とコントラストをなす色を有するのが好ましい。このことは、赤が支配的である環境下で手袋を検査するときにもまた、明示が明らかになることを確実にするであろう。
【００４１】
本発明の穴あき明示手袋の有利な展開では、中間層が内層と外層との間に配置される。中間層は、その液体含量に応じて変化する屈折率を有し、特に、中間層の物質の不透明性は減少し、そのため液体の存在下でより透明になり、それによって、液体が存在するときに内層の視認性を増加させる。そのとき、破損しているのが外面であろうと内面であろうと、湿分の急速の広がりを確実にするように、外層の内面と内層の外面の双方が本発明の第１の態様に従った接触角を有することが、非常に好ましい。
【００４２】
そのとき、中間層の両面にとって更なる利点は、明示システムの有効性を最大にするように、上述した値及び範囲に合致する接触角を有することである。
【００４３】
色の変化の程度は、層間に流体が入り込むときのΔＥ＊の値（ユークリッド距離）により測定され得る。即ち、ΔＥ＊の値が大きいほど色の変化が大きくなる。このことは、バリア特性の破損の感知の可能性の増加に導く。このＣ＊、Ｌ＊、ａ＊、ｂ＊（これら３つの基本的等級は、色の明るさを表す（Ｌ＊、Ｌ＊＝０は黒を与え、Ｌ＊＝１００は白を示す））に関しては、赤／マゼンタ及び緑の間のその位置（ａ＊、負の値は緑を示し、正の値はマゼンタを示す）及び黄色と青の間のその位置（ｂ＊、負の値は青を示し、正の値は黄色を示す）、及びΔＥ＊の値（それらのすべては、この技術分野において国際的に認められたパラメータ−ＣＩＥ １９７６国際照明委員会−である。）は、グランドビルミシガン（Grandville Michigan）のX-Riteにより提供されたＳＰ６２のような分光光度計を用いて決定され得る。この方法は、下側手袋の好ましい特性を決定するためにも使用され得る。手袋の色の特徴づけは、ＣＩＥＬＡＢ系又はＣＩＥＬＣＨ系のいずれかを用いて行うことが出来る。
【００４４】
ΔＥ＊＝（（Ｌ＊標準−Ｌ＊試料）２＋（ａ＊標準−ａ＊試料）２＋（ｂ＊標準−ｂ＊試料）２）０．５
Ｃ＝（ａ＊２＋ｂ＊２）０．５
ｈ＝ａｒｃｔａｎ（ｂ＊／ａ＊）
これらの測定を行うとき、背景の色が評価の対象である手袋の色に影響を与えるかもしれないので、背景が一定であることを保証することが重要である。この文書のための測定は、セラミック板又は手袋の製造に使用されるセラミックフォーマー上に物質の単層を置くことによってすべて行われ、Ｌ＊は８１．９５〜９０．６９、ａ＊は−０．８７〜０．１３、ｂ＊は２．７９〜１１．８２である。下側手袋の色は、フォーマー又は板上で測定された。上側手袋は、下側手袋上に置かれ、複合体について色が測定された。次いで、下側手袋と上側手袋との間の間隙に液体が注入され、液体を含む領域における複合体の色が決定された。下側手袋の色が上側手袋を通してより明らかになる大きな面積を与えるように、間隙に充分な液体が注入されることが重要である。この目的のため、２つの手袋層間の間隙に、０．５−１．０ｍｌの液体が注入された。液体としては、蒸留水及び合成血液が使用された。次いで、上述の式を用いて、明示におけるΔＥ＊の値が決定された。標準についてのＬ＊、ａ＊、及びｂ＊が、液体のない手袋の組み合わせについて決定された値について言う場合、試料についてのＬ＊、ａ＊、及びｂ＊は、すべて液体注入後の２層構造の領域について測定された値について言うものである。
【００４５】
合成血液が、ＡＳＴＭＦ１８６２−００ａに記載された仕様に合致するように使用された。この目的のため、仕様に合致する合成血液が、Johnson, Moen & Co., 2505 Northridge Lane NE, Rochester, MN 55906から購入された。
【００４６】
下側手袋のみの色及び濡れ特性が、多くの上側手袋とともに一般に使用され得る最適な下側手袋を達成するために用いられた。外側手袋の不透明性及び濡れ特性と組み合わされたこれらの特性が、手袋の２層間に液体が入り込むことの認識の点から有利な結果を与えるために、内側手袋及び外側手袋を含む明示システムの特性を定義することが好ましい。
【００４７】
以下に、本発明を用いて達成された接触角の例を示す。ここには、天然ゴム手袋についての接触角の例として、プロテグリティ（Protegrity）STM手袋が含まれており、これは全く処理されていない合成手袋に匹敵するものである。
【表１】
0005763060.tif 000002
【００４８】
バイオゲル（Biogel）ポリイソプレン明示下側手袋（選択的処理及び後照射を伴う）の例
【表２】
0005763060.tif 000003